(57)【要約】【課題】  長尺紙を加工具で処理する前後両方で挟持搬送と張力制御とを行い、より正確な加工処理ができるようにする。【解決手段】  長尺紙Ｐの加工面に加工具Ｃ１で処理する加工処理機Ｃを装着する装置台５に、長尺紙Ｐを巻いた巻きロール２を有しかつ長尺紙Ｐを加工処理機Ｃに供給する原紙供給機構Ｇと、加工処理機Ｃ通過後の長尺紙Ｐを巻取ロール３に巻き取る製品巻取機構Ｓとを設け、前記加工処理機Ｃと原紙供給機構Ｇとの間に、長尺紙Ｐを挟持搬送する前搬送手段ＨＦと、この前搬送手段ＨＦと加工処理機Ｃとの間で長尺紙Ｐの張力を調整する前張力制御手段ＤＦとを設け、前記加工処理機Ｃと製品巻取機構Ｓとの間に、長尺紙Ｐを挟持搬送する後搬送手段ＨＲと、この後搬送手段ＨＲと加工処理機Ｃとの間で長尺紙Ｐの張力を調整する後張力制御手段ＤＲとを設ける。【選択図】図１
2015093328.tif 000002
【特許請求の範囲】
【請求項１】
長尺紙（Ｐ）の加工面に加工具（Ｃ１）で処理する加工処理機（Ｃ）を装着する装置台（５）に、長尺紙（Ｐ）を巻いた巻きロール（２）を有しかつ長尺紙（Ｐ）を加工処理機（Ｃ）に供給する原紙供給機構（Ｇ）と、加工処理機（Ｃ）通過後の長尺紙（Ｐ）を巻取ロール（３）に巻き取る製品巻取機構（Ｓ）とを設けており、
前記加工処理機（Ｃ）と原紙供給機構（Ｇ）との間に、長尺紙（Ｐ）を挟持搬送する前搬送手段（ＨＦ）と、この前搬送手段（ＨＦ）と加工処理機（Ｃ）との間で長尺紙（Ｐ）の張力を調整する前張力制御手段（ＤＦ）とを設けており、
前記加工処理機（Ｃ）と製品巻取機構（Ｓ）との間に、長尺紙（Ｐ）を挟持搬送する後搬送手段（ＨＲ）と、この後搬送手段（ＨＲ）と加工処理機（Ｃ）との間で長尺紙（Ｐ）の張力を調整する後張力制御手段（ＤＲ）とを設けていることを特徴とする長尺紙搬送装置。
【請求項２】
前記装置台（５）における加工処理機（Ｃ）装着位置の前後内部にそれぞれ、前記前搬送手段（ＨＦ）及び前張力制御手段（ＤＦ）と、後搬送手段（ＨＲ）及び後張力制御手段（ＤＲ）とを配置していることを特徴とする請求項１に記載の長尺紙搬送装置。
【請求項３】
前記加工処理機（Ｃ）は、印刷した長尺紙（Ｐ）の印刷面にカッタナイフで切り抜きを入れるカッティングプロッタであることを特徴とする請求項１又は２に記載の長尺紙搬送装置。
【請求項４】
前記原紙供給機構（Ｇ）は、長尺紙（Ｐ）を巻いた巻きロール（２）の上方に、巻きロール（２）から送り出される長尺紙（Ｐ）の加工面にラミネート（Ｌ）を添付するラミネート添付手段（Ｔ）を有することを特徴とする請求項３に記載の長尺紙搬送装置。
【請求項５】
前記製品巻取機構（Ｓ）は、製品の長尺紙（Ｐ）を巻き取る巻取ロール（３）の上方に、長尺紙（Ｐ）から切り抜き部以外の不要部（Ｐｆ）を分離して不要部巻取ロール（４）に巻き取る不要部巻取手段（Ｆ）を有することを特徴とする請求項３又は４に記載の長尺紙搬送装置。
【請求項６】
前記加工処理機（Ｃ）は、長尺紙（Ｐ）の表面に印刷するプリンタであることを特徴とする請求項１又は２に記載の長尺紙搬送装置。
【発明の詳細な説明】
【技術分野】
【０００１】
本発明は、長尺紙の加工面を加工処理機に対して搬送する長尺紙搬送装置に関する。
【背景技術】
【０００２】
印刷した長尺紙の印刷部分を加工処理機としてのカッティングプロッタで切り抜く従来技術は、特許文献１において、「複数の加工対象が複数行複数列に整列して設定されたシート材の一部を載置する支持面が形成された支持部材と、シート材を前記支持面とほぼ同一平面上において上下に挟持するとともに前後に搬送する挟持搬送機構と、前記支持面の上方に設けられた加工具を左右に移動させる加工具移動機構と、前記支持部材の前方に設けられて、シート材に前方に向けて張力を作用させることでシート材の加工済み部分を巻き取る巻取装置と、前記挟持搬送機構、前記加工具移動機構および前記巻取装置を作動制御する作動制御装置とを有し、前記作動制御装置により、前記挟持搬送機構および前記加工具移動機構を作動させて前記支持面上のシート材を前記加工具に対して前後左右に相対移動させながら前記加工具により左右に並ぶ加工対象に対して１列分を加工する制御と、前記挟持搬送機構を作動させてシート材の加工済み部分を前方に搬送するとともに次列の加工対象が設定された部分を後方から前記支持面上に搬送する制御とが繰り返し行われるカッティングプロッタ（請求項１）」が開示されている。
【０００３】
この従来技術は、シート材を前方向けのみの巻取装置で張力を作用させ、加工具の後方側でのみ挟持搬送機構でシート材を上下挟持して前後に搬送するようにしている。
【先行技術文献】
【特許文献】
【０００４】
【特許文献１】特許第４８４７２２９号公報
【発明の概要】
【発明が解決しようとする課題】
【０００５】
前記従来技術は、シート材の張力付与が加工具の前方の巻取装置のみで行われるので、加工具の後方ではシート材に張力を付与することが困難になっており、また、加工具の後方側でのみでシート材を上下挟持して前後に搬送するので、加工具の前方側でのシート材の挟持搬送が困難になっており、シート材を前後移動しながらカッティング（加工）を行うと、張力不足あるいは搬送力不足等が生じ、カッティングを正確に行うことが困難になっている。
【０００６】
本発明は、このような従来技術の問題点を解決できるようにした長尺紙搬送装置を提供することを目的とする。
本発明は、長尺紙を加工具で処理する前後両方で挟持搬送と張力制御とを行い、より正確な加工処理ができるようにした長尺紙搬送装置を提供することを目的とする。
【課題を解決するための手段】
【０００７】
本発明における課題解決のための具体的手段は、次の通りである。
第１に、長尺紙Ｐの加工面に加工具Ｃ１で処理する加工処理機Ｃを装着する装置台５に、長尺紙Ｐを巻いた巻きロール２を有しかつ長尺紙Ｐを加工処理機Ｃに供給する原紙供給機構Ｇと、加工処理機Ｃ通過後の長尺紙Ｐを巻取ロール３に巻き取る製品巻取機構Ｓとを設けており、
前記加工処理機Ｃと原紙供給機構Ｇとの間に、長尺紙Ｐを挟持搬送する前搬送手段ＨＦと、この前搬送手段ＨＦと加工処理機Ｃとの間で長尺紙Ｐの張力を調整する前張力制御手段ＤＦとを設けており、
前記加工処理機Ｃと製品巻取機構Ｓとの間に、長尺紙Ｐを挟持搬送する後搬送手段ＨＲと、この後搬送手段ＨＲと加工処理機Ｃとの間で長尺紙Ｐの張力を調整する後張力制御手段ＤＲとを設けていることを特徴とする。
【０００８】
第２に、前記装置台５における加工処理機Ｃ装着位置の前後内部にそれぞれ、前記前搬送手段ＨＦ及び前張力制御手段ＤＦと、後搬送手段ＨＲ及び後張力制御手段ＤＲとを配置していることを特徴とする。
第３に、前記加工処理機Ｃは、印刷した長尺紙Ｐの印刷面にカッタナイフで切り抜きを入れるカッティングプロッタであることを特徴とする。
【０００９】
第４に、前記原紙供給機構Ｇは、長尺紙Ｐを巻いた巻きロール２の上方に、巻きロール２から送り出される長尺紙Ｐの加工面にラミネートＬを添付するラミネート添付手段Ｔを有することを特徴とする。
第５に、前記製品巻取機構Ｓは、製品の長尺紙Ｐを巻き取る巻取ロール３の上方に、長尺紙Ｐから切り抜き部以外の不要部Ｐｆを分離して不要部巻取ロール４に巻き取る不要部巻取手段Ｆを有することを特徴とする。
【００１０】
第６に、前記加工処理機Ｃは、長尺紙Ｐの表面に印刷するプリンタであることを特徴とする。
【発明の効果】
【００１１】
本発明によれば、長尺紙を加工具で処理する前後両方で挟持搬送と張力制御とを行い、より正確な加工処理ができる。
即ち、請求項１に係る発明は、加工処理機Ｃと原紙供給機構Ｇとの間に、長尺紙Ｐを挟持搬送する前搬送手段ＨＦと、この前搬送手段ＨＦと加工処理機Ｃとの間で長尺紙Ｐの張力を調整する前張力制御手段ＤＦとを設け、加工処理機Ｃと製品巻取機構Ｓとの間に、長尺紙Ｐを挟持搬送する後搬送手段ＨＲと、この後搬送手段ＨＲと加工処理機Ｃとの間で長尺紙Ｐの張力を調整する後張力制御手段ＤＲとを設けているので、加工処理機Ｃの前側及び後側の両側で、長尺紙Ｐの挟持搬送と張力制御ができ、より正確な加工処理ができる。
【００１２】
請求項２に係る発明は、１台の装置台５の前後内部に、前搬送手段ＨＦ及び前張力制御手段ＤＦと、後搬送手段ＨＲ及び後張力制御手段ＤＲとを配置することができ、装置をコンパクトに構成できる。
請求項３に係る発明は、加工処理機Ｃはカッティングプロッタを使用することにより、長尺紙Ｐの印刷面にカッタナイフで切り抜きをより正確に入れることができる。
【００１３】
請求項４に係る発明は、ラミネート添付手段Ｔを設けることにより、カッティング加工前に長尺紙Ｐの加工面にラミネートＬを添付することができる。
請求項５に係る発明は、加工処理機Ｃにカッティングプロッタを使用して、長尺紙Ｐの印刷面にカッタナイフで切り抜きを入れる場合は、製品巻取機構Ｓに不要部巻取手段Ｆを設けて、長尺紙Ｐから切り抜き部以外の不要部Ｐｆを分離することができる。
【００１４】
請求項６に係る発明は、加工処理機Ｃにプリンタを使用することにより、長尺紙Ｐの表面により正確に印刷することができる。
【図面の簡単な説明】
【００１５】
【図１】本発明の第１実施形態を示す正面図である。
【図２】同平面図である。
【図３】同要部の拡大正面図である。
【図４】本発明の第２実施形態を示す正面図である。
【発明を実施するための形態】
【００１６】
以下、本発明の実施の形態を図面に基づいて説明する。
図１〜３に示す第１実施形態において、長尺紙搬送装置１は、加工処理機Ｃを装着する装置台５と、装置台５の前部に装着された原紙供給機構Ｇと、加工処理機Ｃの装着位置の前後であって、装置台５の前内部に配置された前搬送手段ＨＦ及び前張力制御手段ＤＦと、装置台５の後内部に配置された後搬送手段ＨＲ及び後張力制御手段ＤＲと、装置台５の後部に装着された製品巻取機構Ｓとを備えている。
【００１７】
前記加工処理機Ｃには、印刷した長尺紙Ｐの印刷面に加工具Ｃ１としてのカッタナイフで切り抜きを入れるカッティングプロッタ、または長尺紙Ｐの表面に加工具Ｃ１としてのインクジェットノズルでインクを噴射して印刷するインクジェットプリンタ等のプリンタ（印刷機）が使用できる。この第１実施形態ではカッティングプロッタの使用例を示している。
【００１８】
カッティングプロッタＣは、前後の長尺紙移動ローラＣ２、Ｃ３と、長尺紙Ｐの通路を挟んで上下にカッタナイフＣ１と受け板Ｃ４とを有し、カッタナイフＣ１が長尺紙Ｐの長
手方向と直交する方向にのみ往復移動する形式のものである。
このカッティングプロッタＣは、前後長尺紙移動ローラＣ２、Ｃ３を同期してモータ駆動し、長尺紙Ｐを前後に移動させながら、カッタナイフＣ１を長尺紙Ｐの長手方向と直角に移動して、長尺紙Ｐ上の印刷部を円形、矩形、その他の形状に切り抜く。
【００１９】
長尺紙Ｐは、上紙、接着剤、剥離剤及び剥離原紙を順次積層したタック紙または粘着ラベルシール等であり、シート材、帯状フィルムであり、印刷機により上紙に写真、絵、模様等が印刷されて印刷部を形成しており、カッティングプロッタＣによって、剥離原紙を残して、上紙、接着剤及び剥離剤を印刷部の輪郭に合わせて切り目を入れて、切り抜き加工が施される。なお、加工処理機Ｃにプリンタを使用する場合は、長尺紙Ｐは印刷前のものとなる。
【００２０】
原紙供給機構Ｇは、装置台５の前部に設けた支持部材に巻きロール２の芯棒Ｒ１を支持しており、筒芯に渦巻状に巻いた長尺紙Ｐを芯棒Ｒ１に嵌装し、芯棒Ｒ１を遊転して、ガイドローラ１１を介して長尺紙Ｐを前搬送手段ＨＦに供給する。
前搬送手段ＨＦ及び後搬送手段ＨＲは略前後対称構造であり、インバータ駆動モータ１２によって駆動される受けローラ１３と、この受けローラ１３に弾圧されるニップローラ１４とを有し、長尺紙Ｐを挟持しながら所要速度で移動搬送する。
【００２１】
前記カッティングプロッタＣと前搬送手段ＨＦとの間に配置された前張力制御手段ＤＦと、カッティングプロッタＣと後搬送手段ＨＲとの間に配置された後張力制御手段ＤＲとは、略前後対称のダンサロール構造である。
前後張力制御手段ＤＦ、ＤＲはそれぞれ、装置台５に上下方向のレール１７を左右一対設け、この各レール１７にホルダ１８を上下摺動自在に設け、左右ホルダ１８にダンサロール１９を回転自在に支持しており、左右各ホルダ１８はレール１７下端との間に引っ張りスプリング２０が設けられている。
【００２２】
また、装置台５には、ホルダ１８の上下移動限界を検出してダンサロール１９の許容ストロークを設定するために、前張力制御手段ＤＦには上センサ２１Ｕが、後張力制御手段ＤＲには下センサ２１Ｄがそれぞれ設けられている。
前張力制御手段ＤＦのダンサロール１９が上昇して上センサ２１Ｕが作動すると、前搬送手段ＨＦを高速作動して長尺紙Ｐの供給を多くし、ダンサロール１９を許容ストローク内に納めるように制御する。
【００２３】
後張力制御手段ＤＲのダンサロール１９が下降して下センサ２１Ｄが作動すると、後搬送手段ＨＲを高速作動して長尺紙Ｐの送り出しを多くし、ダンサロール１９を許容ストローク内に納めるように制御する。
装置台５の後部には支持枠２５が設けられ、この支持枠２５に不要部巻取手段Ｆを有する製品巻取機構Ｓが配置され、動力伝達手段２６を介して後搬送手段ＨＲからの動力によって同期駆動されるようになっている。
【００２４】
製品巻取機構Ｓは、芯棒２７と、後搬送手段ＨＲから動力が伝達されるガイドローラ２８と、このガイドローラ２８から芯棒２７へ回転動力を伝達する動力伝達手段２６とを有し、前記芯棒２７に筒芯を嵌装しておいて、カッティング後の長尺紙Ｐ（剥離原紙の表面に印刷部を有する。）を芯棒２７の回転により巻き取る。
不要部巻取手段Ｆは、芯棒２９と、前記製品巻取機構Ｓのガイドローラ２８と相まって剥離原紙の表面から印刷部を残して不要部Ｐｆを分離する分離ローラ３０とを有し、芯棒２９は前記動力伝達手段２６によって回転動力が伝達可能になっており、前記芯棒２９に筒芯を嵌装しておいて、カッティング後の長尺紙Ｐの不要部Ｐｆを芯棒２９の回転により巻き取る。
【００２５】
前記第１実施形態の長尺紙搬送装置１の動作を説明する。
筒芯に巻いた長尺紙Ｐを原紙供給機構Ｇの芯棒Ｒ１に嵌装し、長尺紙Ｐを、原紙供給機構Ｇから引き出して前搬送手段ＨＦから前張力制御手段ＤＦに通し、カッティングプロッタＣのカッタナイフＣ１と受け板Ｃ４との間を挿通し、そして後張力制御手段ＤＲから後搬送手段ＨＲに通し、ガイドローラ２８と分離ローラ３０との間を通した後に、長尺紙Ｐの剥離原紙を製品巻取機構Ｓの芯棒２７側に巻き付け、上紙を不要部巻取手段Ｆの芯棒２
９側に巻き付ける。
【００２６】
そして、カッティングプロッタＣ、前後搬送手段ＨＦ、ＨＲ及び前後張力制御手段ＤＦ、ＤＲを作動し、前後長尺紙移動ローラＣ２、Ｃ３で受け板Ｃ４上の長尺紙Ｐを前後移動しながらカッタナイフＣ１を左右移動させ、長尺紙Ｐ上の印刷部の外郭を切り抜き、長尺紙Ｐの長手方向の１列の印刷部を切り抜いた後に、次の１列の印刷部まで、前後搬送手段ＨＦ、ＨＲ及び前後長尺紙移動ローラＣ２、Ｃ３で長尺紙Ｐを搬送する。
【００２７】
前記カッタナイフＣ１による切り抜き動作中、長尺紙Ｐを送り移動したときは、前張力制御手段ＤＦのダンサロール１９が上昇し、かつ後張力制御手段ＤＲのダンサロール１９が下降して、受け板Ｃ４上での長尺紙Ｐの前後に作用する張力が適正に制御され、長尺紙Ｐを戻り移動したときは、前張力制御手段ＤＦのダンサロール１９が下降し、かつ後張力制御手段ＤＲのダンサロール１９が上昇して、受け板Ｃ４上での長尺紙Ｐの前後に作用する張力が適正に制御され、前後両ダンサロール１９が許容ストローク内に納まるように、前後搬送手段ＨＦ、ＨＲが長尺紙Ｐの搬送速度を制御する。
【００２８】
印刷部を切り抜いた長尺紙Ｐは、ガイドローラ２８に達すると、印刷部を剥離原紙に残したまま製品巻取機構Ｓの芯棒２７側に巻き取られ、不要部巻取手段Ｆの芯棒２９側には印刷部のない不要部Ｐｆ（不要な上紙）が巻き取られる。
図４は第２実施形態の長尺紙搬送装置３１を示しており、この長尺紙搬送装置３１は、装置台５にカッティングプロッタＣを装着し、原紙供給機構Ｇにラミネート添付手段Ｔを付設し、下部にキャスタ輪を有する可搬式に構成されている。
【００２９】
装置台５の前部に支持枠３２を取り付け、この支持枠３２の下部に巻きロール２の芯棒Ｒ１を支持し、上部にラミネートＬを巻いたラミネートロール３３と、ラミネートＬの剥離紙Ｌａを巻き取る剥離紙ロール３４とを支持している。
ラミネート添付手段Ｔは、ラミネートロール３３及び剥離紙ロール３４とともに、一対の分離案内ロール３５を有する。
【００３０】
そして、長尺紙Ｐを前搬送手段ＨＦに案内するガイドローラ１１に対向して合わせローラ３６が設けられており、芯棒Ｒ１から前搬送手段ＨＦに至る途中の長尺紙Ｐに対して、ラミネートロール３３から送り出されて剥離紙ロール３４によって剥離紙Ｌａが分離されたラミネートＬが合わせローラ３６によって添付され、印刷面にラミネートＬを添付した長尺紙ＰとしてカッティングプロッタＣへ供給される。
【００３１】
なお、本発明は前記実施形態における各部材の形状及びそれぞれの前後・左右・上下の位置関係は、図１〜４示すように構成することが最良である。しかし、前記実施形態に限定されるものではなく、部材、構成を種々変形したり、組み合わせを変更したりすることもできる。
例えば、加工処理機Ｃにプリンタを使用する場合は、原紙供給機構Ｇのラミネート添付手段Ｔ、製品巻取機構Ｓの不要部巻取手段Ｆは不要であり、カッティングプロッタを使用する場合でも製品巻取機構Ｓから不要部巻取手段Ｆを割愛して、不要部Ｐｆを分離しないままで製品の長尺紙Ｐとして巻取ロール３に巻き取ってもよい。
【００３２】
カッティングプロッタＣを着脱自在に装着する装置台５に対して、原紙供給機構Ｇ及び製品巻取機構Ｓを着脱自在にしておいてもよい。
長尺紙搬送装置１は、カッティングプロッタとプリンタとを同時に備えた装置とすることもできる。即ち、１台の装置台５上に加工処理機Ｃとして前側プリンタと後側カッティングプロッタとを直列に配置し、原紙供給機構Ｇの巻きロール２に印刷前長尺紙Ｐを装着し、前側プリンタの前後に搬送手段と張力制御手段とを設け、後側カッティングプロッタの前後に搬送手段と張力制御手段とを設け、印刷前長尺紙Ｐに前側プリンタで印刷処理をし、その直後に印刷した長尺紙Ｐに後側カッティングプロッタで切り抜き処理をするようにしてもよい。
【符号の説明】
【００３３】
１        長尺紙搬送装置
２        巻きロール
３        巻取ロール
４        不要部巻取ロール
５        装置台
１９      ダンサロール
Ｃ        加工処理機（カッティングプロッタ又はプリンタ）
Ｃ１      加工具（カッタナイフ又はインクジェットノズル）
Ｃ２      長尺紙移動ローラ
Ｃ３      長尺紙移動ローラ
Ｃ４      受け板
ＤＦ      前張力制御手段
ＤＲ      後張力制御手段
Ｆ        不要部巻取手段
Ｇ        原紙供給機構
ＨＦ      前搬送手段
ＨＲ      後搬送手段
Ｌ        ラミネート
Ｐ        長尺紙
Ｐｆ      不要部
Ｓ        製品巻取機構
Ｔ        ラミネート添付手段
【図１】
2015093328.tif 000003
【図２】
2015093328.tif 000004
【図３】
2015093328.tif 000005
【図４】
2015093328.tif 000006